(57)【特許請求の範囲】
【請求項１】
前面パネルを備えて本体が構成されて該本体内にホースが内巻式に収納され、前記本体の上面側から下面側に至る２本の棒状体によって前記本体に結合されるホースバケットと、該ホースバケット外の側方に位置する消火栓弁と、前記ホースに接続されたノズルと、を備える消火栓装置において、
前記前面パネルは、本体前面の全面に取り外し可能に取り付けられ、その縦方向の中央部分に前傾式に回動し、回動半径方向に短辺を有する略長方形であり、開放時に下方に向けてほぼ垂れ下がるまで開放する前傾扉を備え、
前記前傾扉が開放されるとき、該前傾扉が前記前面パネルに接触することを防止するあたり部を前記前面パネルに設け、前記前面パネルに対する前記前傾扉の閉鎖時における下端部の高さは、前記前傾扉の高さ方向の幅とほぼ同一に形成され、
消火活動時は、前記前傾扉の開放に伴う前記前面パネルの開口内に前記ノズルと前記消火栓弁の開放レバーが露出し、前記ホースは前記開口と前記ホースバケットの開口部との重なり部から制限されて引き出され、
収納作業時は、前記前面パネルを取り外して、全体が露出した前記ホースバケットに前記ホースを巻き込むことを特徴とする消火栓装置。
【請求項２】
枠状フレームと前記前面パネルとで前記本体が構成されることを特徴とする請求項１に記載の消火栓装置。
【発明の詳細な説明】
【技術分野】
【０００１】
この発明は、消火栓装置に関する。
【背景技術】
【０００２】
従来から、消火栓装置には、消火用ホースを内巻に収納してなる、いわゆる内巻式の消火栓装置が用いられ、例えばトンネル内の車道に隣接する監査路上に設置されたり、トンネルの内壁に埋設されて設置されたりしている。
【０００３】
その消火栓装置の構造は、例えば、キャビネット本体が前面を開放する筐体に形成されるとともに、補強枠が前面近傍に固定されており、開口部の下縁を回転軸として上縁側が前方に開放動作する前傾扉が設けられている。この前傾扉の開放動作には、ダンパによって緩衝機構が付与されるとともに、停止位置が決まっていて、所定の開度で停止し前面側に突出する。
【０００４】
この前傾扉の裏側には、ノズルを保持するノズルホルダが設けられ、さらに、ホースガイドが設けられる。このホースガイドによって、前傾扉の裏面に立設される消火栓弁の開閉レバーやダンパ等へ、引き出されるホースが引っ掛かることを防止する（特許文献１参照）。
【特許文献１】特開２００１−２４６００７号公報
【発明の開示】
【発明が解決しようとする課題】
【０００５】
上記のような消火栓装置では、前傾扉が大掛かりで頑丈に製作する必要があり、ホースを引き出す際に開放させると前方に突出する。
【０００６】
そのため、この発明では、簡単な構成で組立てが簡便な本体の消火栓装置を得ることを目的とする。
【課題を解決するための手段】
【０００７】
本発明は、前面パネルを備えて本体が構成されて該本体内にホースが内巻式に収納され、前記本体の上面側から下面側に至る２本の棒状体によって前記本体に結合されるホースバケットと、該ホースバケット外の側方に位置する消火栓弁と、前記ホースに接続されたノズルと、を備える消火栓装置において、前記前面パネルは、本体前面の全面に取り外し可能に取り付けられ、その縦方向の中央部分に前傾式に回動し、回動半径方向に短辺を有する略長方形であり、開放時に下方に向けてほぼ垂れ下がるまで開放する前傾扉を備え、前記前傾扉が開放されるとき、該前傾扉が前記前面パネルに接触することを防止するあたり部を前記前面パネルに設け、前記前面パネルに対する前記前傾扉の閉鎖時における下端部の高さは、前記前傾扉の高さ方向の幅とほぼ同一に形成され、消火活動時は、前記前傾扉の開放に伴う前記前面パネルの開口内に前記ノズルと前記消火栓弁の開放レバーが露出し、前記ホースは前記開口と前記ホースバケットの開口部との重なり部から制限されて引き出され、収納作業時は、前記前面パネルを取り外して、全体が露出した前記ホースバケットに前記ホースを巻き込むことを特徴とするものである。
【０００８】
また、本発明は、枠状フレームと前記前面パネルとで前記本体が構成されることを特徴とするものである。
【発明の効果】
【０００９】
前傾扉が開放されると、前面パネルに対して十分な高さに配置されているので、前傾扉の位置がそのまま自重でほぼ垂れ下がり状態となり、前方に突出しない。
【００１０】
さらに、前傾扉による開口に、ホースバケットの開口部が重なって、ホース引き出し時に重なり部から引き出されることとなるので、引出し量を制限することができる。また、その開口に、ノズルおよび消火栓弁の開閉レバーが露出して、操作者が使用しやすい。
【発明を実施するための最良の形態】
【００１１】
実施の形態１
図１は、この発明を利用する一実施形態の正面図、図２は、図１の平面図、図３は、図１の側面図である。
【００１２】
図において、この実施形態の消火栓装置は、消火用ホースを内巻きに収納してなる、いわゆる内巻式の消火栓装置であり、例えばトンネルの内壁に埋設されて設置される。
【００１３】
このような、消火栓装置の本体は、強固な断面Ｌ字状の補強部材を組み合わせた枠状のフレーム１０と、その前面に前面パネル２１が設置され、その中に、先端に消火用のノズル６０を有するホース５、そのホース５を内巻き式に収納するホースバケット１２、自動調圧弁２、消火栓弁３、給水栓４等を備えている。
【００１４】
フレーム１０は、図４に概略形状を示すように、箱体の枠となるような形状であり、上側の水平部１０ａの左右にそれぞれ垂直に引き降ろした固定部１０ｂ、ｃが配置され、また、各固定部１０ｂ、ｃから奥側に向かってそれぞれ足部１０ｄ、ｅが配置されて、さらに、両足部１０ｄ、ｅをつなぐように、水平方向の底部１０ｆが形成されている。なお、逆Ｌ字状の固定部１０ｇは、消火栓弁３等の固定用に形成されている。
【００１５】
このフレーム１０には、ホースバケット１２が一体化されている。本体の上面側から下面側まで至るような２本の棒状体１２ａ、ｂと、その２本の棒状体１２ａ、ｂの背面側に配置される一枚板で左右両側が略コ字状に折り曲げられて２本の棒状体１２ａ、ｂに至る帯体１２ｃとが設けられ、同様に上側に形成された板状の上面部１２ｄと、２本の棒状体１２ａ、ｂの下端部からフレーム１０の底部１０ｆにつなげる２本のフレームによる底面部１２ｅからなり、２本の棒状体１２ａ、ｂの間がホース５を引き出す開口部１２ｇとなっている。このような２本の棒状体１２ａ、ｂの各上端部は、上面部１２ｄが結合されるとともに、フレーム１０の水平部１０ａへ、連結部１２ｈ、ｉによって結合されており、支柱の役割にもなるので、フレーム１０の箱形状を保持することを補強することにもなっている。
【００１６】
ホースバケット１２は、ホース５を内巻式に収納し、帯板１２ｃの背面側から、底面部１２ｅ、帯板１２ｃの左側面、板状の上面部１２ｄおよび帯板１２ｃの右側面と当接しながら巻き付けられ、４隅の形状を整えながら、巻き付けられる。この収納作業は、前面パネル２１を外して行うことができ、ホースバケット１２を完全に露出して収納作業を行うことができる。
【００１７】
また、ホースバケット１２の連結部１２ｈ、ｉには、運搬時に本体を吊り上げられるように、吊りボルト１２ｊ、ｋが設けられ、フレーム１０全体の強度を保持しながら、持ち上げられるようになっている。また、このフレーム１０は、設置面への固定部材となる架台１１の上に取り付けられる。
【００１８】
前面パネル２１は、図１に示されるように、扉が設けられる開口を２ヶ所に備えた板状体であり、各開口にはそれぞれ前傾扉１４と消火器扉２６とが設けられている。この前面パネル２１の左右において、フレーム１０の固定部１０ｂ、ｃに相当する部分、計６ヶ所でボルト締めのボルト２１ｂが見えている。前面パネル２１の各ボルト２１ｂの位置に、詳細に示さないが、取付穴がそれぞれ形成されていて、相当するフレーム１０の固定部１０ｂ、ｃにも、詳細に示さないが、取付穴が形成されてナットが固定されている。なお、ボルト締めの個数は６ヶ所に限らず、４ヶ所等必要に応じた個数に増減できる。
【００１９】
また、前面パネル２１の補強として、ホースバケット１２の帯板１２ｃに一端を溶接した板状の固定部材２８が設けられ、前面パネル２１の２ヶ所の開口間を押さえるためのボルト２１ｄが設けられている。このボルト２１ｄによって、前面パネル２１の中央部が固定部材２８を介してフレーム１０側と固定されている。
【００２０】
前傾扉１４は、前面パネル２１に対して、下方を蝶番１４ａで結合した手前に回動する扉であり、この前傾扉１４の開閉機構については、開放の際には、扉前面中央部分のハンドル４３を手前に引くことで開放できる。すなわち、この前傾扉１４はマグネット式に磁力で閉状態を維持しており、ハンドル４３を手前に引くことにより、磁力による結合を解き、前傾方向に回動し、開口部を開放する。
【００２１】
この前傾扉１４は、前傾方向への回動により全開し、前面パネル２１の表面に配置されたあたり部２１ｃに当接するまで、垂れ下がるような状態となる。この前傾扉１４は、ただ扉としての機能のみで、開閉レバーやラッチ機構が設けられることもなく、軽量かつ簡素であることから、蝶番１４ａやマグネット式の開閉機構で十分である。そして、前面パネル２１における前傾扉１４が設けられる開口の位置は、その下方に前傾扉１４が垂れ下がれるエリアが必要であり、前傾扉１４は、前面パネル２１の縦方向の中央部分であるとともに、前傾扉１４の縦方向の幅とほぼ同等の高さ以上に配置されている。なお、前傾扉１４の位置を、必要以上に高い位置に設けると、操作性が悪くなってしまう。
【００２２】
あたり部２１ｃは、前傾扉１４が前面パネル２１に接触することによるいずれかの破損を防止するものであり、ゴムなどの弾性体で形成されている。このように、前傾扉１４は必ずしも完全に垂れ下がらないので、前面パネル２１に対する前傾扉１４の取付け高さは前傾扉１４の幅より若干短くてもよい。また、前面パネル２１の下方に架台１１が設けられるので、取付け高さはその架台１１の高さを含めることができる。
【００２３】
このように開放される前傾扉１４の内側にはホースバケット１２に収納されたホース５のに接続されたノズル６０が露出するとともに、消火栓弁３の開閉レバー３ａが露出する。
【００２４】
消火器扉２６は、前面パネル２１に対して、左側方に図示しない回転軸が形成されて横開きに回動する扉であり、前傾扉１４と同様に、マグネット式で、扉右側のハンドル５８を手前に引くことで開放できる。この消火器扉２６の内側には、消火器の載置板２６ｂが配置され、詳細に説明しないが、現場において消火器が載置される。また、各種配線が接続される端子箱２７が、消火器扉２６の内側で、ホースバケット１２の帯板１２ｃ左側面に設置されている。
【００２５】
前面パネル２１の左側上部は、電気機器取付部とされており、表示灯５５や発信機５６などの電気機器が取り付けられる部分となっている。また、ここでは用いていないが、非常用コンセントや電話ジャックなどを備えてもよく、これらの機器は必要に応じて選択すればよい。これらの機器の交換については、前面パネル２１がフレーム１０に対して着脱作業が容易であることから、前面パネル２１をフレーム１０から取り外して、不良の機器を交換することができる。
【００２６】
この実施形態における消火栓装置の使用手順について簡単に説明する。
【００２７】
トンネル内等において、火災が発生した場合、自動車のドライバなどの火災の発見した操作者が消火栓装置に駆けつける。
【００２８】
操作者は、まず前傾扉１４のハンドル４３を手前に引いて前傾扉１４を全開とし、露出したノズル６０を握り、ホース５を引き出すとともに、露出した消火栓弁３の開閉レバー３ａを手前に引き、開弁させて消火水をホース５内に流入させる。このとき、引き出されるホース５は、前傾扉１４による開口とホースバケット１２の開口部１２ｇとの重なった狭い領域である重なり部から制限されて引き出され、巻き込まれているホース５が型崩れして落ちてくることがない。そして、開放された前傾扉１４は、ほぼ垂れ下がる状態となり、前方に突出しないので、操作の邪魔とならない。
【００２９】
ホース５に流入した消火水は、そのままノズル６０から放水することが可能であり、ノズル６０を持って現場に着いた操作者は炎に向かって消火水を放水することができる。
【００３０】
このようにして、消火活動が収まった後は、復旧作業が必要である。この復旧作業において面倒なのはホース５の収納であるが、トンネルの管理者のような復旧者は、ボルト２１ｂを外して前面パネル２１をフレーム２０から取り外すことができ、全体が露出したホースバケット１２にホース５を整然と巻き込むことが可能である。そして、内巻き状態のホース５内にノズル６０を載せ、前面パネル２１を取り付けて、開放している前傾扉１４を持ち上げて閉状態に戻し、復旧することができる。
【００３１】
この実施形態では、消火栓装置の本体が枠状のフレーム１０と前面パネル２１とで構成され、軽量化およびコストダウンが図られているが、変形例として、化粧枠としての前面パネル２１が取り付けられる枠状のフレーム１０が箱体であってもよく、単にフレーム１０に板を貼り付けたものでもよい。
【００３２】
また、この実施形態では、前面パネル２１とフレーム１０との固定方式としてボルト締めを行っているが、変形例として、前面パネル２１の前面側から固定する方式がネジ止めであってもよく、同様に、前面側からフレーム１０を固定する方式であればよい。
【００３３】
以上のように、この実施形態では、前面パネル２１を備えて本体が構成されて該本体内にホース５が内巻式に収納される消火栓装置において、前面パネル２１の中央に前傾式に回動する前傾扉１４を備え、前傾扉１４が開放時に下方に向けてほぼ垂れ下がるまで開放するとともに、前面パネル２１に対する前傾扉１４の閉鎖時における下端部の高さは、前傾扉１４の高さ方向の幅とほぼ同一である。
【００３４】
そのため、前傾扉１４が開放されると、前面パネル２１に対して十分な高さに配置されているので、前傾扉１４の位置がそのまま自重でほぼ垂れ下がり状態となり、前方に突出しない。
【００３５】
また、前傾扉１４の開放に伴う前面パネル２１の開口は、ホース５を内巻式に収納するホースバケット１２の開口部１２ｇと重なり、その重なり部にノズル６０が位置しているとともに、ホース５引き出し時に重なり部から引き出されることとなるので、引出し量を制限することができる。また、開口内にノズル６０や消火栓弁３の開放レバー３ｂが露出しているので、操作者が使用しやすい。
【００３６】
また、枠状のフレーム１０と、フレーム１０の前面に取り付けられる前面パネル２１とで本体が構成され、フレーム１０の左右側を固定部１０ｂ、ｃとして、固定部１０ｂ、ｃに前面パネル２１が当接されて、前面パネル２１の前面側からボルト締めまたはネジ止めによって、前面パネル２１と固定部１０ｂ、ｃとが着脱自在に固定される。したがって、フレーム１０に対する前面パネル２１の取付けが、前面パネル２１の前面側から行えるので、組立作業が行いやすく、前面パネル２１とフレーム１０の固定部１０ｂ、ｃとが当接するように配置するので、間に固定部材等が必要とならず、簡便でかつコストダウンができるとともに、消火栓装置全体を薄型化することにつながる。
【図面の簡単な説明】
【００３７】
【図１】この発明を利用する一実施形態の正面図。
【図２】図１の平面図。
【図３】図１の側面図。
【図４】図１のフレームの形状を概略的に示す斜視図。
【符号の説明】
【００３８】
５    ホース
１０    フレーム
１２    ホースバケット
１４    前傾扉
２１    前面パネル
【図１】
0005120996.tif 000002
【図２】
0005120996.tif 000003
【図３】
0005120996.tif 000004
【図４】
0005120996.tif 000005